(57)【要約】【課題】一般的な係着機能と衝撃スピン係着機能とを両立させる衝撃スピン手工具を提供する。【解決手段】衝撃スピン手工具１００の中空本体２００は、第１の位置限定構造を有する。第１のレバー３００の付勢端３０６は、中空本体２００内に収容され、第２の位置限定構造を有する。第１の弾性部材５００は、付勢端３０６と第１の位置限定構造に両端がそれぞれ当接するように、中空本体２００内に位置する。第２の位置限定構造は、離脱可能に第１の位置限定構造により位置限定される。中空本体２００が第１のレバー３００に連結する場合、第１のレバー３００は、第１の位置にあり、第１の弾性部材５００を圧縮し、第１の弾性部材５００の弾性回復力を貯蓄する。第２の位置限定構造が第１の位置限定構造から逸脱する場合、弾性回復力により第１のレバー３００を第１の位置から第２の位置に移動させ、第１のレバー３００が衝撃スピン動作する。【選択図】図２Ａ
0003209043.tif 000002
【実用新案登録請求の範囲】
【請求項１】
第１の位置限定構造を有する中空本体と、
前記中空本体の外に露出する駆動端、前記中空本体内に収容されるスピン構造、及び、前記中空本体内に収容され、第２の位置限定構造を有する付勢端を含む第１のレバーと、
前記付勢端及び前記第１の位置限定構造に両端がそれぞれ当接するように、前記中空本体内に位置する第１の弾性部材と、
を備え、
前記第２の位置限定構造は、離脱可能に前記第１の位置限定構造により位置限定され、
前記中空本体が前記第１のレバーに連結する場合、前記第１のレバーは、第１の位置にあり、前記第１の弾性部材を圧縮し、前記第１の弾性部材の弾性回復力を貯蓄し、
前記第２の位置限定構造が前記第１の位置限定構造から逸脱する場合、前記弾性回復力により前記第１のレバーを第１の位置から第２の位置に移動させ、前記第１のレバーが前記スピン構造で衝撃スピン動作をする衝撃スピン手工具。
【請求項２】
前記第１の位置限定構造は、前記中空本体に設けられる位置限定部を含み、
前記第２の位置限定構造は、
前記第１のレバーの前記付勢端に位置し、第１の貫通孔が設けられる収容溝と、
前記収容溝内に位置し、前記第１の貫通孔に対応する溝部を有する第２のレバーと、
前記溝部に接触するように前記第１の貫通孔内に収容され、前記中空本体が前記第１のレバーと連結する場合、前記位置限定部により位置限定される鋼球と、
前記収容溝内に位置しており、前記第２の位置限定構造が前記第１の位置限定構造から逸脱する場合、前記第２のレバーを往復動作させる第２の弾性部材と、
を含むことを特徴とする請求項１に記載の衝撃スピン手工具。
【請求項３】
前記第１の位置限定構造は、前記付勢端と前記位置限定部との間に位置するように、前記中空本体内に設けられるストッパ部を更に含み、
前記第１の弾性部材は、前記付勢端及び前記ストッパ部に両端がそれぞれ当接することを特徴とする請求項２に記載の衝撃スピン手工具。
【請求項４】
前記溝部は、第１のサブ部と第２のサブ部を含み、
前記第１のサブ部の深さは、前記第２のサブ部の深さより大きく、
前記鋼球は、前記第２のサブ部から前記第１のサブ部に入って、前記位置限定部から逸脱することを特徴とする請求項２に記載の衝撃スピン手工具。
【請求項５】
前記第２の位置限定構造は、前記収容溝と前記第２のレバーとを貫通し、前記第２のレバーが前記往復動作をして前記第２の弾性部材を圧縮する場合、前記第１のレバーを前記第２の位置へ移動するように連動させるラッチを更に含むことを特徴とする請求項２に記載の衝撃スピン手工具。
【請求項６】
前記中空本体は、前記中空本体と連通する第２の貫通孔を含み、
前記スピン構造は、
前記第１のレバーの表面に設けられる案内溝と、
前記中空本体の前記第２の貫通孔内に収容して設けられ、前記駆動端が被付勢部材に当接して前記付勢端が外力により衝撃される場合、前記第１のレバーが前記中空本体内へ縮むことにより、前記案内溝に入って、前記案内溝に沿って移動し、前記第１のレバーをスピンさせるガイド部材と、
を含むことを特徴とする請求項１に記載の衝撃スピン手工具。
【請求項７】
前記中空本体を被覆するハンドルを更に備えることを特徴とする請求項１に記載の衝撃スピン手工具。
【請求項８】
第１の位置限定構造を有する中空本体と、
前記中空本体の外に露出する駆動端、前記中空本体に収容されるスピン構造、及び、前記中空本体に収容され、第２の位置限定構造を有する付勢端を含む第１のレバーと、
前記駆動端に対向して前記中空本体内に設けられ、前記付勢端を選択可能に押し当てるボタンと、
前記付勢端及び前記第１の位置限定構造に両端がそれぞれ当接するように、前記中空本体内に位置する第１の弾性部材と、
を備え、
前記第２の位置限定構造は、離脱可能に前記第１の位置限定構造により位置限定され、
前記中空本体が前記第１のレバーに連結する場合、前記第１のレバーが第１の位置にあり、前記第１の弾性部材を圧縮し、弾性回復力を貯蓄し、
前記ボタンが前記付勢端を押し当てることで、前記第２の位置限定構造が前記第１の位置限定構造から逸脱する場合、前記弾性回復力により前記第１のレバーを第１の位置から第２の位置に移動させ、前記第１のレバーが前記スピン構造で衝撃スピン動作をする衝撃スピン手工具。
【請求項９】
前記中空本体は、
前記付勢端と前記スピン構造を収容する第１のスリーブと、
前記第１のスリーブと連通するように、前記第１のスリーブと前記ボタンとの間に位置する第２のスリーブと、
を含み、
前記第１の位置限定構造は、
前記第２のスリーブの内壁に設けられる位置限定部と、
前記付勢端と前記位置限定部との間に位置するように、前記第２のスリーブの前記内壁に設けられるストッパ部と、
を含み、
前記第１の弾性部材の両端は、それぞれ前記付勢端及び前記ストッパ部に当接することを特徴とする請求項８に記載の衝撃スピン手工具。
【請求項１０】
第２の位置限定構造は、
前記付勢端に位置し、前記第１のレバーの短軸方向に第１の貫通孔が設けられ、前記第１のレバーの長軸方向に第３の貫通孔が設けられる収容溝と、
前記第３の貫通孔から露出するように前記収容溝に位置し、前記第１の貫通孔に対応する溝部を有する第２のレバーと、
前記溝部に接触するように前記第１の貫通孔内に収容して設けられ、前記中空本体が前記第１のレバーに連結する場合、前記位置限定部により位置限定される鋼球と、
前記第３の貫通孔に対向するように、前記第２のレバーと前記収容溝の底部との間に位置する第２の弾性部材と、
を含み、
前記第１のレバーが前記第１の位置にあるように、前記中空本体が前記第１のレバーに連結する場合、前記第３の貫通孔は、前記ボタンに向かい合い、
前記ボタンが前記第３の貫通孔を介して前記第２のレバーを押し当てることで前記第２の位置限定構造が前記第１の位置限定構造から逸脱する場合、前記第２の弾性部材は、前記第２のレバーを往復動作させることを特徴とする請求項９に記載の衝撃スピン手工具。
【請求項１１】
前記溝部は、第１のサブ部と第２のサブ部とを含み、
前記第１のサブ部の深さは、前記第２のサブ部の深さより大きく、
前記第１のレバーが前記第１の位置にあるように、前記中空本体が前記第１のレバーと連結する場合、前記ボタンにより選択可能に前記第３の貫通孔を介して前記第２のレバーを押し当てることで、前記鋼球が前記第２のサブ部から前記第１のサブ部に入って、前記位置限定部から逸脱することを特徴とする請求項１０に記載の衝撃スピン手工具。
【請求項１２】
前記ボタンは、押圧部と、前記押圧部に凸設される押し当て部と、を更に含み、
前記押し当て部は、前記第２のスリーブ内へ延伸して選択可能に前記第３の貫通孔を介して前記第２のレバーを押し当てることを特徴とする請求項１０に記載の衝撃スピン手工具。
【請求項１３】
前記押圧部と前記第２のスリーブとの間に位置するように前記押し当て部に覆設される第３の弾性部材を更に備え、
前記第１のレバーが前記第１の位置に設けられるように前記中空本体が前記第１のレバーと連結する場合、前記ボタンにより選択可能に前記押し当て部によって前記第３の貫通孔を介して前記第２のレバーを押し当てて、前記第３の弾性部材が圧縮されることを特徴とする請求項１２に記載の衝撃スピン手工具。
【請求項１４】
前記中空本体と前記ボタンを被覆するハンドルを更に備えることを特徴とする請求項８に記載の衝撃スピン手工具。
【請求項１５】
前記ハンドルは、前記ボタンを露出させる少なくとも１つの開口を含み、前記ボタンの表面と前記ハンドルの表面とは、一面になることを特徴とする請求項１４に記載の衝撃スピン手工具。
【考案の詳細な説明】
【技術分野】
【０００１】
本考案は、手工具に関し、特に、一般的な機能と衝撃スピン機能とを両立させる衝撃スピン手工具に関する。
【背景技術】
【０００２】
止めねじは、ロック部品や組立機具の素子において最も広く適用されるものである。現在、家庭用電器、自動車等の大衆の日常生活に用いられる物品は、何れも止めねじで小さいものから大きいものへ組み立てられる。止めねじは、螺旋力によって物品を押し付けて結合させるものであり、それにより容易に取り外しや取り付けできる特性によって、普通に利用されている。ドライバは、止めねじを部品や機具にねじ込む又はその中からねじり出すように回すための手工具である。しかし、止めねじ又は組立部におけるねじ山が過度に摩耗され、又はひどく酸化や発錆され、或は気候の変化で伸びたり縮んだりする場合、止めねじが組立部にはまり込んで、手動回転のみでは止めねじを緩めることができなくなることがある。
【０００３】
上記問題を解決するために、該当分野では、衝撃スピンドライバという手工具が開発される。現在、衝撃スピンドライバは、既によく見られる手工具であり、主に、鉄類の材質から構成される。具体的には、衝撃スピンドライバは、一端が打ちに強い材質によって構成される付勢端であるが、他端が駆動端である。操作時、衝撃スピンドライバの一端を止めねじに当接し、ハンマーで衝撃スピンドライバの他端を叩き、叩きによる衝撃力によって組立部にはまり込んだ止めねじを揺り動かして、段々緩ませて組立部から取り除かれるようにする。
【考案の概要】
【考案が解決しようとする課題】
【０００４】
しかし、衝撃スピンドライバが止めねじを駆動できるようになる場合、使用者は、解体の目的を達成するために、一般的なドライバによって止めねじを確実に緩ませなければならない。それに対して、係着時、抜け止めを防止する目的を達成するために、初期的に、先ず一般的なドライバで係着してから、衝撃するようにしっかり補強して係止しなければならない。そのため、止めねじをねじり回す途中で、使用者は、衝撃スピンドライバと一般的なドライバを順番に用いなければならないので、かなり不便である。
【０００５】
上記操作上の不便に対して、衝撃スピンドライバと一般的なドライバとを一体に整合した手工具が既に市販されている。しかし、このような整合型手工具は、対応する機構を別に増設するために、手工具の異なる機能に対する使用が安定性に欠けてしまうことがある。そのため、当業者は、その解決の手段を求めている。
【課題を解決するための手段】
【０００６】
本考案は、一般的な係着機能と衝撃スピン係着機能とを両立させる衝撃スピン手工具を提供する。ボタンの設計によって２つの機能の間で迅速に切り替えることができ、使用者の利用の便利さを大幅に向上させる衝撃スピン手工具を提供する。
また、本考案の提供した衝撃スピン手工具は、異なる機能を切り替えるための構造がその付勢端に設けられるので、一般的な使用状態で被付勢部材と接触することで衝撃スピン機能に戻すことはなく、その使用上の安定性が向上する。
【０００７】
本考案の衝撃スピン手工具は、中空本体、第１のレバー及び第１の弾性部材を備える。
中空本体は、第１の位置限定構造を有する。
第１のレバーは、駆動端、スピン構造及び付勢端を含む。
駆動端は、中空本体の外に露出する。
スピン構造は、中空本体内に収容される。
付勢端は、中空本体内に収容され、第２の位置限定構造を有する。
第１の弾性部材は、付勢端と第１の位置限定構造に両端がそれぞれ当接するように、中空本体内に位置する。
第２の位置限定構造は、離脱可能に第１の位置限定構造により位置限定される。
中空本体が第１のレバーに連結する場合、第１のレバーは、第１の位置にあり、第１の弾性部材を圧縮し、第１の弾性部材の弾性回復力を貯蓄する。
第２の位置限定構造が第１の位置限定構造から逸脱する場合、弾性回復力により第１のレバーを第１の位置から第２の位置に移動させ、第１のレバーがスピン構造で衝撃スピン動作する。
【０００８】
これによって、本考案の実施形態による衝撃スピン手工具は、一般的な機能と衝撃スピン機能とを両立させるものである。且つ、本考案に一般的な機能と衝撃スピン機能の間で切り替えるための構造が手工具の付勢端に設けられるので、駆動端が被付勢部材と接触することで衝撃スピン機能に戻すこと等の問題を回避することができる。
【０００９】
本考案の衝撃スピン手工具は、以下を含むことが好ましい。
第１の位置限定構造は、中空本体内に設けられる位置限定部を含む。
第２の位置限定構造は、収容溝、第２のレバー、鋼球及び第２の弾性部材を含む。
収容溝は、第１のレバーの付勢端に位置し、第１の貫通孔が設けられる。
第２のレバーは、収容溝内に位置し、第１の貫通孔に対応する溝部を有する。
鋼球は、溝部に接触するように第１の貫通孔内に収容され、中空本体が第１のレバーと連結する場合、鋼球が位置限定部により位置限定される。
第２の付勢部材は、収容溝に位置しており、第２の位置限定構造が第１の位置限定構造から逸脱する場合、第２のレバーを往復動作させる。
なお、第１の位置限定構造は、第１のレバーの付勢端と位置限定部との間に位置するように、中空本体内に設けられるストッパ部を更に含む。
第１の弾性部材は、付勢端とストッパ部とに両端がそれぞれ当接する。
第２のレバーの溝部は、第１のサブ部と第２のサブ部を含む。
第１のサブ部の深さは、第２のサブ部の深さより大きい。
鋼球は、第２のサブ部によって第１のサブ部に入って、位置限定部による位置限定から逸脱する。
第２の位置限定構造は、ラッチを更に含む。
ラッチは、収容溝と第２のレバーとを貫通し、第２のレバーが往復動作をして第２の弾性部材を圧縮する場合、第１のレバーを第２の位置へ移動するように連動させる。
詳しく言えば、中空本体は、それと連通する第２の貫通孔を更に含む。
スピン構造は、案内溝及びガイド部材を含む。
案内溝は、第１のレバーの表面に設けられる。
ガイド部材は、中空本体の第２の貫通孔に収容して設けられ、駆動端が被付勢部材に当接して付勢端が外力により衝撃される場合、第１のレバーが中空本体内に縮むことにより、案内溝に入って、案内溝に沿って移動し、第１のレバーをスピンさせる。
最後に、衝撃スピン手工具は、中空本体を被覆するハンドルを更に含む。
【００１０】
本考案のもう１つの衝撃スピン手工具は、中空本体、第１のレバー、ボタン及び第１の付勢部材を備える。
中空本体は、第１の位置限定構造を有する。
第１のレバーは、駆動端、スピン構造及び付勢端を含む。
駆動端は、中空本体の外に露出する。
スピン構造は、中空本体内に収容される。
付勢端は、中空本体内に収容され、第２の位置限定構造を有する。
ボタンは、駆動端に対向して中空本体内に設けられ、付勢端を選択可能に押し当てる。
第１の弾性部材は、付勢端と第１の位置限定構造に両端がそれぞれ当接するように、中空本体内に位置する。
第２の位置限定構造は、離脱可能に第１の位置限定構造により位置限定される。
第２の位置限定構造は、中空本体が第１のレバーに連結する場合、第１のレバーが第１の位置にあり、第１の弾性部材を圧縮し、第１の弾性部材の弾性回復力を貯蓄する。
ボタンが付勢端を押し当てることで、第２の位置限定構造が第１の位置限定構造から逸脱する場合、弾性回復力により第１のレバーを第１の位置から第２の位置に移動させ、第１のレバーがスピン構造で衝撃スピン動作をする。
【００１１】
これによって、本考案実施形態による衝撃スピン手工具は、ボタン及びそれに対応して設けられる素子によって、衝撃スピン手工具が一般的な機能と衝撃スピン機能の間で迅速に切り替えるようにし、使用上の利便性を向上させることができる。
【００１２】
本考案のもう１つの衝撃スピン手工具は、以下が好ましい。
中空本体は、第１のスリーブ及び第２のスリーブを含む。
第１のスリーブは、付勢端とスピン構造を収容する。
第２のスリーブは、第１のスリーブと連通するように第１のスリーブとボタンとの間に位置する。
第１の位置限定構造は、位置限定部及びストッパ部を含む。
位置限定部は、第２のスリーブの内壁上に設けられる。
ストッパ部は、付勢端と位置限定部との間に位置するように、第２のスリーブの内壁に設けられる。
第１の弾性部材の両端は、それぞれ付勢端とストッパ部に当接する。
第２の位置限定構造は、収容溝、第２のレバー、鋼球及び第２の弾性部材を含む。
収容溝は、付勢端に位置し、第１のレバーの短軸方向に第１の貫通孔が設けられ、第１のレバーの長軸方向に第３の貫通孔が設けられる。
第２のレバーは、第３の貫通孔から露出するように収容溝に位置し、且つ第１の貫通孔に対応する溝部を有する。
鋼球は、溝部に接触するように第１の貫通孔内に収容して設けられ、中空本体が第１のレバーに連結する場合、位置限定部により位置限定される。
第２の弾性部材は、第３の貫通孔に対向するように、第２のレバーと収容溝の底部との間に位置する。
第１のレバーが第１の位置にあるように、中空本体が第１のレバーに連結する場合、第３の貫通孔はボタンに向かい合う。
ボタンが第３の貫通孔を介して第２のレバーを押し当てることで第２の位置限定構造を第１の位置限定構造から逸脱させる場合、第２の弾性部材は、第２のレバーを往復動作させる。
詳しく言えば、第２のレバーの溝部は第１のサブ部と第２のサブ部を含む。
第１のサブ部の深さは、第２のサブ部の深さより大きい。
第１のレバーが第１の位置にあるように中空本体が第１のレバーに連結する場合、ボタンにより選択可能に第３の貫通孔を介して第２のレバーを押し当てて、これで、鋼球が第２のサブ部から溝部の第１のサブ部に入って位置限定部による位置限定から逸脱するようにする。
ボタンは、押圧部と、押圧部に凸設される押し当て部と、を更に含む。
押し当て部は、第２のスリーブ内へ延伸して選択可能に第３の貫通孔を介して第２のレバーを押し当てる。
衝撃スピン手工具は、第３の弾性部材を更に備える。
第３の弾性部材は、押圧部と第２のスリーブとの間に位置するように押し当て部に覆設される。
第１のレバーが第１の位置にあるように中空本体が第１のレバーと連結する場合、ボタンにより選択可能に押し当て部によって第３の貫通孔を介して第２のレバーを押し当てて第３の弾性部材が圧縮される。
最後に、衝撃スピン手工具は、中空本体とボタンを被覆するハンドルを更に備える。
ハンドルは、ボタンを露出させるための少なくとも１つの開口を含み、且つボタンの表面とハンドルの表面とは、一面になる。
【図面の簡単な説明】
【００１３】
【図１】本考案の一実施形態に係る衝撃スピン手工具を示す外観斜視図である。
【図２Ａ】本考案の一実施形態に係る衝撃スピン手工具の爆発を示す分解斜視図である。
【図２Ｂ】図２Ａに示した第２のレバーの構造を示す断面図である。
【図３】本考案の一実施形態に係る衝撃スピン手工具を示す組立斜視図である。
【図４Ａ】本考案の一実施形態に係る衝撃スピン手工具における第１のレバーが第１の位置にある場合の横断面を示す断面図である。
【図４Ｂ】本考案の一実施形態に係る衝撃スピン手工具における第１のレバーが第２の位置にある場合の横断面を示す断面図である。
【図４Ｃ】本考案の一実施形態に係る衝撃スピン手工具における第１のレバーが第２の位置にある場合の横断面を示す別の断面図である。
【考案を実施するための形態】
【００１４】
以下、図面に合わせて本考案の実施形態を説明する。説明を明らかにするために、下記で多くの実際の細部を合わせて説明する。理解すべきなのは、これらの実際の細部が、本考案を制限するためのものではない。つまり、本考案の実施形態の一部において、これらの実際の細部は、必要ないものである。また、図面を簡略化するために、ある従来慣用の構造及び素子は、図面において簡単で模式的に示され、且つ同一の素子は同じな番号で示す。
【００１５】
図１〜図４Ｃを併せて参照する。
図１は、本考案の一実施形態に係る衝撃スピン手工具を示す外観斜視図である。図２Ａは、本考案の一実施形態に係る衝撃スピン手工具１００を示す分解斜視図である。図２Ｂは、図２Ａに示した第２のレバー３０６４の構造を示す断面図である。図３は、本考案の一実施形態に係る衝撃スピン手工具１００を示す組立斜視図である。図４Ａは、本考案の一実施形態に係る衝撃スピン手工具１００における第１のレバー３００が第１の位置にある場合の横断面を示す断面図である。図４Ｂは、本考案の一実施形態に係る衝撃スピン手工具１００における第１のレバー３００が第２の位置にある場合の横断面を示す断面図である。図４Ｃは、本考案の一実施形態に係る衝撃スピン手工具１００における第１のレバー３００が第２の位置にある場合の横断面を示す別の断面図である。
図に示すように、衝撃スピン手工具１００は、中空本体２００と、第１のレバー３００と、ボタン４００と、第１の弾性部材５００と、を含む。
【００１６】
先ず、後の素子を設置しやすくするために、図２Ａに示す実施形態において、中空本体２００は、第１のスリーブ２０２と第２のスリーブ２０４とが互いに連通するように構成される。しかし、中空本体２００は、単一なスリーブとして設計されてもよいが、本考案は、これに限定されない。
【００１７】
なお、図２Ａと図４Ａとを併せて参照する。
中空本体２００は、第１の位置限定構造を有する。且つ、第１の位置限定構造は、具体的に、第２のスリーブ２０４内に設けられ、より好ましくは、第２のスリーブ２０４の内壁に設けられる。更に言えば、第１の位置限定構造は、少なくとも１つの位置限定部２０４２と１つのストッパ部２０４４を含む。位置限定部２０４２は、凹溝であってもよく、バンプ、クランプ、接着部材又は係合部材等の、位置限定機能を有する素子であってもよいが、本考案は、これに限定されない。ストッパ部２０４４については、第２のスリーブ２０４の内壁に設けられるバンプであってもよく、また第２のスリーブ２０４の内径により第１のスリーブ２０２から離れた方向に沿って縮小してなってもよい。且つ、ストッパ部２０４４は、第１のレバー３００の付勢端３０６と第１の位置限定構造の位置限定部２０４２との間に位置する。
【００１８】
続いて、図２Ａを参照する。
第１のレバー３００は、駆動端３０２、スピン構造３０４と付勢端３０６を含む。駆動端３０２は、作動の要求に応じて丸棒状、尖頭状、刃形状又は他の様々な形状に製造される。本考案は、如何なる実施形態に限定されるものではない。なお、スピン構造３０４と付勢端３０６は、中空本体２００内に収容され、且つ、具体的には、第１のスリーブ２０２の中に収容されるが、駆動端３０２は、第１のスリーブ２０２の外に露出する。
【００１９】
また、第１のレバー３００の付勢端３０６は、第２の位置限定構造を有する。具体的には、第２の位置限定構造は、収容溝３０６２、第２のレバー３０６４、鋼球３０６６と第２の弾性部材３０６８を含む。
図に示すように、収容溝３０６２は、第１のレバー３００の付勢端に位置し、第１の貫通孔３０６２Ａを有する。第２のレバー３０６４は、第１の貫通孔３０６２Ａに対応する溝部３０６４２を有する。鋼球３０６６は、溝部３０６４２に接触するように、第１の貫通孔３０６２Ａ内に収容して設けられる。中空本体２００が第１のレバー３００と連結する場合、鋼球３０６６は、第１の位置限定構造の位置限定部２０４２により位置限定される。第２の弾性部材３０６８は、収容溝３０６２内に位置しており、第２の位置限定構造が第１の位置限定構造から逸脱する場合、第２のレバー３０６４を往復動作させることに用いられる。
【００２０】
更に、図２Ｂを参照する。第２のレバー３０６４の溝部３０６４２は、第１のサブ部３０６４２ａと第２のサブ部３０６４２ｂを含む。且つ、第１のサブ部３０６４２ａの第２のレバー３０６４の短軸方向の深さは、第２のサブ部３０６４２ｂの深さより大きい。そのため、鋼球３０６６は、溝部３０６４２の第２のサブ部３０６４２ｂから第１のサブ部３０６４２ａに移動する場合、位置限定部２０４２による位置限定から逸脱することができる。
【００２１】
なお、第２の位置限定構造は、収容溝３０６２と第２のレバー３０６４を貫通するラッチ３０７０を更に含む。第２のレバー３０６４が往復動作を行って第２の弾性部材３０６８を圧縮する場合、ラッチ３０７０は、第１のレバー３００を移動するように連動させる。第１のレバー３００と、第２のレバー３０６４と、鋼球３０６６と、第２の弾性部材３０６８と、ラッチ３０７０との連動関係については、下記で図４Ａ〜図４Ｃに合わせて詳しく説明するので、ここで詳しく述べない。
【００２２】
続いて、図２Ａを参照する。スピン構造３０４は、案内溝３０４２とガイド部材３０４４を含む。案内溝３０４２は第１のレバー３００の表面に設けられる。ガイド部材３０４４は鋼球であってもよい。ガイド部材３０４４が鋼球である場合、中空本体２００の第１のスリーブ２０２に第２の貫通孔２０２Ａが対応して設けられるが、ガイド部材３０４４が第２の貫通孔２０２Ａ内に収容して設けられる。第１のレバー３００の駆動端３０２が被付勢部材に当接され、付勢端３０６が外力により衝撃される場合、第１のレバー３００が中空本体２００の第１のスリーブ２０２内へ縮む。これにより、ガイド部材３０４４が、案内溝３０４２の中に入って案内溝３０４２に沿って移動し、更に第１のレバー３００をスピンするように連動させる。説明しなければならないのは、ガイド部材３０４４は、第１のスリーブ２０２の内壁に設けられる突起であってもよく、案内溝３０４２に沿って移動してもよく、且つ、被付勢部材は止めねじであってもよいが、本考案はこれに限定されない。
【００２３】
次に、図２Ａ、図３及び図４Ａを併せて参照する。
第１の弾性部材５００は、両端がそれぞれ第１のレバー３００の付勢端３０６と第１の位置限定構造のストッパ部２０４４に当接するように、中空本体２００内に位置する。
更に言えば、第１の弾性部材５００は、一端が第１のスリーブ２０２内に位置する付勢端３０６の収容溝３０６２外に設けられる。また、第１の弾性部材５００は、他端が第２のスリーブ２０４の外に露出しないように、第２のスリーブ２０４内に設けられる第１の位置限定構造のストッパ部２０４４に当接してストッパ部によって、ストッパされる。この実施形態はこれに限定されない。
【００２４】
図２Ａ、図３及び図４Ａに示すように、ボタン４００は、付勢端３０６を選択可能に押し当てるように、駆動端３０２に対向して中空本体２００に設けられる。具体的には、ボタン４００は、押圧部４０２と、押圧部４０２に凸設される押し当て部４０４と、を更に含む。押し当て部４０４は、第２のスリーブ２０４内へ延伸する。この場合、付勢端３０６の第２の位置限定構造の収容溝３０６２には、更にボタン４００の押し当て部４０４に対応する第３の貫通孔３０６２ｂが設けられる。第２のレバー３０６４は、第３の貫通孔３０６２ｂから露出するように、収容溝３０６２内に位置する。また、第２の弾性部材３０６８は、実際的に、第３の貫通孔３０６２ｂに対向するように、第２のレバー３０６４と収容溝３０６２の底部との間に位置し、即ち、その延伸方向が第２のレバー３０６４の長軸方向と重なる。中空本体２００が第１のレバー３００と連結する場合、第３の貫通孔３０６２ｂがボタン４００の押し当て部４０４に向かい合う。ボタン４００が選択可能にその押し当て部４０４によって第３の貫通孔３０６２ｂを介して第２のレバー３０６４を押し当てることができる。第２の弾性部材３０６８が後で第２のレバー３０６４を往復動作させることができる。
【００２５】
続いて、実施形態による衝撃スピン手工具１００は、押圧部４０２と第２のスリーブ２０４の間に位置するようにボタン４００の押し当て部４０４に設けられた第３の弾性部材６００を更に含む。中空本体２００が第１のレバー３００と連結し、且つボタン４００が押し当て部４０４によって第３の貫通孔３０６２ｂを介して第２のレバー３０６４を選択可能に押し当てる場合、第３の弾性部材６００が圧縮される。
【００２６】
また、図に示すように、ボタン４００は、後で組み立てられる場合、更に、固定部材８００によって中空本体２００に固定されてもよいが、本考案はこれに限定されない。
【００２７】
最後に、本考案に係る衝撃スピン手工具１００は、使用者が便利に把握できるように、中空本体２００とボタン４００を被覆するためのハンドル７００を更に含む。また更に、ハンドル７００は、ボタン４００を露出させるための、少なくとも１つの開口７００Ａを含む。且つ、後で付勢する場合にボタン４００を損傷しないように、ボタン４００の表面とハンドル７００の表面とは、一面になる。
【００２８】
また、説明しなければならないのは、本考案は実施形態によって上記のように説明したが、本考案の別の実施形態において、ボタン４００及びそれに対応する素子の設置は省略されてもよい。
例えば、衝撃スピン手工具１００は、中空本体２００、第１のレバー３００、及び第１の弾性部材５００しかを含まない。中空本体２００内に第１の位置限定構造が含まれ、第１のレバー３００の付勢端３０６は第２の位置限定構造を有する。中空本体２００及びハンドル７００には、第１の位置限定構造を露出させるための開口が対応して設けられてもよいことに、実施形態と異なっている。中空本体２００が第１のレバー３００と連結する場合、第２の位置限定構造は第１の位置限定構造により位置限定され、且つ第１のレバー３００は第１の位置にある。この場合、中空本体２００及びハンドル７００に互いに対応して設けられた２つの開口を介して、第２の位置限定構造が第１の位置限定構造から逸脱するように、第２の位置限定構造を直接に押し当てる。更に、第１の弾性部材の弾性回復力により第１のレバーが第２の位置に移動するように駆動される。中空本体２００、第１の位置限定構造と第２の位置限定構造の詳細な素子及びその実施形態については、ここで詳しく述べない。
【００２９】
本考案の提供した衝撃スピン手工具１００に含まれる素子及びその連結関係については、既に、このように概ね説明したが、以下、図４Ａ〜図４Ｃに合わせて、各素子同士の連動関係及び衝撃スピン手工具１００の操作形態について更に説明する。
【００３０】
先ず、前記のとおり、第１のレバー３００の付勢端３０６に設けられる第２の位置限定構造は、離脱可能に中空本体２００の第２のスリーブ２０４内に設けられる第１の位置限定構造により位置限定される。
図４Ａに示すように、本実施形態において、第１の位置限定構造の位置限定部２０４２は凹溝である。第２の位置限定構造の鋼球３０６６は第２のレバー３０６４の溝部３０６４２の第２のサブ部３０６４２ｂと第１の貫通孔３０６２Ａとの間に位置している。また、鋼球３０６６は、第１の貫通孔３０６２Ａから部分的に露出して、第１の位置限定構造の位置限定部２０４２に嵌めて、中空本体２００と第１のレバー３００とを連結させる。
この場合、第１のレバー３００は、第１の位置にあり、弾性回復力を貯蓄するために第１の弾性部材５００を圧縮し、且つ、この時の衝撃スピン手工具１００は一般的な係着機能を達成する手工具である。
【００３１】
次に、ボタン４００の押圧部４０２を押圧して、その押し当て部４０４によって付勢端３０６に位置する第２のレバー３０６４を押し当てる。これにより、鋼球３０６６が第２のレバー３０６４の溝部３０６４２の第２のサブ部３０６４２ｂから深い第１のサブ部３０６４２ａに入って第１の位置限定構造の位置限定部２０４２による位置限定から逸脱できる。
なお、ラッチ３０７０が収容溝３０６２と第２のレバー３０６４を貫通する。このため、ボタン４００の押し当て部４０４が第２のレバー３０６４を押し当てる場合、ラッチ３０７０は、ボタン４００の押圧される方向に沿って移動するように連動させる。更に、ラッチ３０７０は、第１のレバー３００を第２の位置へ移動するように連動させ、第２の位置限定構造を第１の位置限定構造から逸脱させることに寄与する。この場合、図４Ｂと図４Ｃに示すように、第１の弾性部材５００の弾性回復力により、第１のレバー３００が第２の位置に移動するように駆動される。且つ、図４Ｃに示すように、この時、ガイド部材３０４４が案内溝３０４２内に位置し、付勢端３０６が外力により衝撃される時に案内溝３０４２に沿って移動し、更に第１のレバー３００をスピンするように連動させることができる。
【００３２】
最後に、また衝撃スピン手工具の一般的な機能を使用しようとする場合、第１のレバー３００の駆動端３０２に付勢して、中空本体２００内へ縮ませばよい。この場合、第１のレバー３００の付勢端３０６が中空本体２００の第１のスリーブ２０２から第２のスリーブ２０４に入り、第２のスリーブ２０４内に設けられる位置限定部２０４２により位置限定され、第１の弾性部材５００が圧縮されて第２のスリーブ２０４内に設けられるストッパ部２０４４によりストッパされる。つまり、図４Ａに示すように、第１のレバー３００が第１の位置に戻る。
【００３３】
以上をまとめると、本考案の提供した衝撃スピン手工具は、一般的な係着機能と衝撃スピン係着機能とを両立させるものであり、ボタンの設計によって２つの機能の間で切り換えられることができ、使用者の利用便利さを大幅に向上させる。また、本考案の提供した衝撃スピン手工具は、異なる機能を切り替えるための構造がその付勢端に設けられるので、一般的な使用状態で被付勢部材と接触することで衝撃スピン機能に戻すことはなく、その使用上の安定性が向上する。
【００３４】
本考案の実施形態を前述の通りに開示したが、これは、本考案を限定するものではなく、当業者なら、本考案の精神と範囲から逸脱しない限り、多様の変更や修正を加えることができる。したがって、本考案の保護範囲は、後の実用新案登録請求の範囲で指定した内容を基準とする。
【符号の説明】
【００３５】
１００：衝撃スピン手工具
２００：中空本体
２０２：第１のスリーブ
２０２Ａ：第２の貫通孔
２０４：第２のスリーブ
２０４２：位置限定部
２０４４：ストッパ部
３００：第１のレバー
３０２：駆動端
３０４：スピン構造
３０４２：案内溝
３０４４：ガイド部材
３０６：付勢端
３０６２：収容溝
３０６２Ａ：第１の貫通孔
３０６２ｂ：第３の貫通孔
３０６４：第２のレバー
３０６４２：溝部
３０６４２ａ：第１のサブ部
３０６４２ｂ：第２のサブ部
３０６６：鋼球
３０６８：第２の弾性部材
３０７０：ラッチ
４００：ボタン
４０２：押圧部
４０４：押し当て部
５００：第１の弾性部材
６００：第３の弾性部材
７００：ハンドル
７００Ａ：開口
８００：固定部材
【図１】
0003209043.tif 000003
【図２Ａ】
0003209043.tif 000004
【図２Ｂ】
0003209043.tif 000005
【図３】
0003209043.tif 000006
【図４Ａ】
0003209043.tif 000007
【図４Ｂ】
0003209043.tif 000008
【図４Ｃ】
0003209043.tif 000009